(57)【要約】  本発明ではデータ・スケジューリング方法、装置、基地局およびシステムを開示する。これらは、通信分野に関し、データ送信に対するリソースの無駄を減らす。具体的な解決策は、協調セル送信データ・スケジューリング情報が、基地局または基地局間の中央スケジューリング装置を用いることによって、各セル内のベースバンド処理装置に送信され、協調セルのベースバンド処理装置が、ユーザ機器により提供されたセル間協調データをサービング・セルのベースバンド処理装置に送信するというものである。本発明はセル間協調に適用される。
2016527772.tif 000002
【特許請求の範囲】
【請求項１】
協調セルに適用されるデータ・スケジューリング方法であって、
前記協調セルのベースバンド処理装置により、中央スケジューリング装置により送信された前記協調セルのデータ・スケジューリング情報を受信するステップと、
前記協調セルの前記データ・スケジューリング情報に従って前記協調セルの前記ベースバンド処理装置により、ユーザ機器により送信された第１のデータを取得するステップと、
前記協調セルの前記ベースバンド処理装置により、前記第１のデータを前記サービング・セルのベースバンド処理装置に送信するステップと、
を含む方法。
【請求項２】
前記協調セルの前記データ・スケジューリング情報に従って前記協調セルの前記ベースバンド処理装置により、ユーザ機器により送信された第１のデータを取得するステップは、
前記協調セルの前記ベースバンド処理装置により、前記ユーザ機器のエア・インタフェース・データを前記協調セルの前記データ・スケジューリング情報に従って取得するステップと、
前記協調セルの前記ベースバンド処理装置により、前記ユーザ機器の前記エア・インタフェース・データにより示されたチャネルにおいて、前記ユーザ機器により送信された前記第１のデータを受信するステップと、
を含む、請求項１に記載の方法。
【請求項３】
前記協調セルの前記ベースバンド処理装置により、前記第１のデータを前記サービング・セルのベースバンド処理装置に送信するステップは、
前記協調セルの前記データ・スケジューリング情報に従って前記協調セルの前記ベースバンド処理装置により、時間周波数領域変換または多入力多出力ＭＩＭＯバランシングまたは逆離散フーリエ変換ＩＤＦＴまたは直角位相振幅変調ＱＡＭ復調を前記第１のデータに実施するステップと、
前記協調セルの前記ベースバンド処理装置により、前記時間周波数領域変換または前記多入力多出力ＭＩＭＯバランシングまたは前記逆離散フーリエ変換ＩＤＦＴまたは前記直角位相振幅変調ＱＡＭ復調の後に取得された第１のデータを前記サービング・セルの前記ベースバンド処理装置に送信するステップと、
を含む、請求項１または２に記載の方法。
【請求項４】
中央スケジューリング装置により、ユーザ機器のデータを受信するためのデータ・スケジューリング情報を生成するステップであって、前記データ・スケジューリング情報は、サービング・セルのデータ・スケジューリング情報および少なくとも１つの協調セルのデータ・スケジューリング情報を含む、ステップと、
前記中央スケジューリング装置により、前記サービング・セルの前記データ・スケジューリング情報を前記サービング・セルのベースバンド処理装置に送信して、前記サービング・セルの前記ベースバンド処理装置が、前記サービング・セルの前記データ・スケジューリング情報に従って、前記ユーザ機器により送信された第２のデータを受信するようにするステップと、
前記中央スケジューリング装置により、前記少なくとも１つの協調セルの前記データ・スケジューリング情報を前記対応する協調セルのベースバンド処理装置に別々に送信して、前記協調セルの前記ベースバンド処理装置が、前記対応する協調セルのデータ・スケジューリング情報に従って、前記ユーザ機器により送信された第１のデータを受信するようにするステップと、
を含む、データ・スケジューリング方法。
【請求項５】
サービング・セルに適用されるデータ・スケジューリング方法であって、
前記サービング・セルのベースバンド処理装置により、中央スケジューリング装置により送信された前記サービング・セルのデータ・スケジューリング情報を受信するステップと、
前記サービング・セルの前記ベースバンド処理装置により前記サービング・セルの前記データ・スケジューリング情報に従って、ユーザ機器により送信された第２のデータを取得するステップと、
前記サービング・セルの前記ベースバンド処理装置により、協調セルのベースバンド処理装置により送信された第１のデータを受信するステップと、
前記サービング・セルの前記ベースバンド処理装置により、前記第１のデータおよび前記第２のデータのセル間協調ＣｏＭＰ結合を実施するステップと、
を含む、方法。
【請求項６】
前記サービング・セルの前記ベースバンド処理装置により前記サービング・セルの前記データ・スケジューリング情報に従って、ユーザ機器により送信された第２のデータを取得するステップは、
前記サービング・セルの前記ベースバンド処理装置により、前記ユーザ機器のエア・インタフェース・データを前記サービング・セルの前記データ・スケジューリング情報に従って取得するステップと、
前記サービング・セルの前記ベースバンド処理装置により、前記ユーザ機器の前記エア・インタフェース・データにより示されたチャネルにおいて、前記ユーザ機器により送信された前記第２のデータを受信するステップと、
を含む、請求項５に記載の方法。
【請求項７】
前記サービング・セルの前記ベースバンド処理装置により、前記第１のデータおよび前記第２のデータのセル間協調ＣｏＭＰ結合を実施するステップは、
前記サービング・セルの前記ベースバンド処理装置により、時間周波数領域変換または多入力多出力ＭＩＭＯバランシングまたは逆離散フーリエ変換ＩＤＦＴまたは直角位相振幅変調ＱＡＭ復調を前記第１のデータに実施した後に、前記サービング・セルの前記データ・スケジューリング情報に従って、前記第２のデータおよび前記第１のデータのセル間協調ＣｏＭＰ結合を実施するステップ
を含む、請求項５または６に記載の方法。
【請求項８】
前記第１のデータは、前記協調セルの前記ベースバンド処理装置が時間周波数領域変換または多入力多出力ＭＩＭＯバランシングまたはＩＤＦＴまたはＱＡＭ復調を実施した後に取得された第１のデータである、請求項５または６に記載の方法。
【請求項９】
協調セルに適用されるベースバンド処理装置であって、前記装置は、スケジューリング・ユニット、受信ユニット、および送信ユニットを備え、
前記スケジューリング・ユニットは、中央スケジューリング装置により送信された前記協調セルのデータ・スケジューリング情報を受信し、前記協調セルの前記データ・スケジューリング情報を前記受信ユニットに送信するように構成され、
前記受信ユニットは、前記スケジューリング・ユニットにより送信された前記協調セルの前記データ・スケジューリング情報を受信し、前記協調セルの前記データ・スケジューリング情報に従って、ユーザ機器により送信された第１のデータを取得し、前記第１のデータを前記送信ユニットに送信するように構成され、
前記送信ユニットは、前記受信ユニットにより送信された前記第１のデータを受信し、前記第１のデータを前記サービング・セルのベースバンド処理装置を送信するように構成される、
装置。
【請求項１０】
前記受信ユニットは復調サブユニットおよび受信サブユニットを備え、
前記復調サブユニットは、前記協調セルの前記データ・スケジューリング情報に従って、前記ユーザ機器のエア・インタフェース・データを取得し、前記ユーザ機器の前記エア・インタフェース・データを前記受信サブユニットに送信するように構成され、
前記受信サブユニットは、前記復調サブユニットにより送信された前記ユーザ機器の前記エア・インタフェース・データを受信し、前記ユーザ機器の前記エア・インタフェース・データにより示されたチャネルにおいて、前記ユーザ機器により送信された前記第１のデータを受信するように構成される
請求項９に記載の装置。
【請求項１１】
前記送信ユニットは前処理サブユニットおよび送信サブユニットを備え、
前記前処理サブユニットは、前記スケジューリング・ユニットにより送信された前記協調セルの前記データ・スケジューリング情報および前記受信ユニットにより送信された前記第１のデータを取得し、前記協調セルの前記データ・スケジューリング情報に従って、時間周波数領域変換または多入力多出力ＭＩＭＯバランシングまたは逆離散フーリエ変換ＩＤＦＴまたは直角位相振幅変調ＱＡＭ復調を前記第１のデータに実施するように構成され、
前記送信サブユニットは、前記前処理サブユニットが前記時間周波数領域変換または前記多入力多出力ＭＩＭＯバランシングまたは前記逆離散フーリエ変換ＩＤＦＴまたは前記直角位相振幅変調ＱＡＭ復調を実施した後に取得された第１のデータを前記サービング・セルの前記ベースバンド処理装置に送信するように構成される
請求項９または１０に記載のベースバンド処理装置。
【請求項１２】
スケジューリング・ユニットおよび送信ユニットを備えた中央スケジューリング装置であって、
前記スケジューリング・ユニットは、ユーザ機器のデータを受信するためのデータ・スケジューリング情報を生成し、前記データ・スケジューリング情報を前記送信ユニットに送信するように構成され、前記データ・スケジューリング情報は、サービング・セルのデータ・スケジューリング情報および少なくとも１つの協調セルのデータ・スケジューリング情報を含む、
前記送信ユニットは、前記スケジューリング・ユニットにより送信された前記データ・スケジューリング情報を受信して、前記サービング・セルの前記データ・スケジューリング情報を前記サービング・セルのベースバンド処理装置に送信して、前記サービング・セルの前記ベースバンド処理装置が、前記サービング・セルの前記データ・スケジューリング情報に従って、前記ユーザ機器により送信された第２のデータを受信するように構成され、
前記送信ユニットはさらに、前記少なくとも１つの協調セルの前記データ・スケジューリング情報を対応する協調セルのベースバンド処理装置に送信して、前記協調セルの前記ベースバンド処理装置が、前記前記対応する協調セルのデータ・スケジューリング情報に従って、前記ユーザ機器により送信された第１のデータを受信するように構成される、
装置。
【請求項１３】
サービング・セルに適用されるベースバンド処理装置であって、前記装置は、スケジューリング・ユニット、受信ユニット、および結合ユニットを備え、
前記スケジューリング・ユニットは、中央スケジューリング装置により送信された前記サービング・セルのデータ・スケジューリング情報を受信し、前記サービング・セルの前記データ・スケジューリング情報を前記受信ユニットに送信するように構成され、
前記受信ユニットは、前記スケジューリング・ユニットにより送信された前記サービング・セルの前記データ・スケジューリング情報を受信し、前記サービング・セルの前記データ・スケジューリング情報に従って、ユーザ機器により送信された第２のデータを取得し、前記第２のデータを前記結合ユニットに送信するように構成され、
前記受信ユニットはさらに、協調セルのベースバンド処理装置により送信された第１のデータを受信し、前記第１のデータを前記結合ユニットに送信するように構成され、
前記結合ユニットは、前記受信ユニットにより送信された前記第１のデータおよび前記第２のデータを受信し、前記第１のデータおよび前記第２のデータのセル間協調ＣｏＭＰ結合を実施するように構成される、
装置。
【請求項１４】
前記受信ユニットは復調サブユニットおよび受信サブユニットを備え、
前記復調サブユニットは、前記サービング・セルの前記データ・スケジューリング情報に従って前記ユーザ機器のエア・インタフェース・データを取得し、前記ユーザ機器の前記エア・インタフェース・データを前記受信サブユニットに送信するように構成され、
前記受信サブユニットは、前記復調サブユニットにより送信された前記ユーザ機器の前記エア・インタフェース・データを受信し、前記エア・インタフェース・データにより示されたチャネルで、前記ユーザ機器により送信された前記第２のデータを受信するように構成される、
請求項１３に記載の装置。
【請求項１５】
前記結合ユニットは特に、前記サービング・セルの前記データ・スケジューリング情報を取得し、前記受信ユニットにより送信された前記第１のデータおよび前記第２のデータを受信し、時間周波数領域変換または多入力多出力ＭＩＭＯバランシングまたは逆離散フーリエ変換ＩＤＦＴまたは直角位相振幅変調ＱＡＭ復調を前記第１のデータに実施した後に、前記サービング・セルの前記データ・スケジューリング情報に従って、前記第２のデータおよび前記第１のデータのセル間協調ＣｏＭＰ結合を実施するように構成される、請求項１３または１４に記載の装置。
【請求項１６】
前記第１のデータは、前記協調セルの前記ベースバンド処理装置が時間周波数領域変換または多入力多出力ＭＩＭＯバランシングまたはＩＤＦＴまたはＱＡＭ復調を実施した後に取得された第１のデータである、請求項１３または１４に記載の装置。
【請求項１７】
協調セルに適用されるベースバンド処理装置であって、前記装置は少なくとも１つのプロセッサ、メモリ、受信器、送信器、およびデータバスを備え、前記データバスは、前記プロセッサ、前記メモリ、前記受信器、および前記送信器の間で接続と通信を実装するように構成され、および前記メモリは、前記プロセッサにより実行されるプログラムコードおよびデータを格納するように構成され、
前記プロセッサは、前記受信器を用いることにより、中央スケジューリング装置により送信された前記協調セルのデータ・スケジューリング情報を受信するように構成され、
前記プロセッサは、前記協調セルの前記データ・スケジューリング情報に従っておよび前記受信器を用いることにより、ユーザ機器により送信された第１のデータを取得するように構成され、
前記プロセッサは、前記送信器を用いることによって前記第１のデータを前記サービング・セルのベースバンド処理装置に送信するように構成される、
装置。
【請求項１８】
前記プロセッサは特に、前記協調セルの前記データ・スケジューリング情報に従って、前記ユーザ機器のエア・インタフェース・データを取得し、前記受信器を用いることにより、前記ユーザ機器の前記エア・インタフェース・データにより示されたチャネルにおいて、前記ユーザ機器により送信された前記第１のデータを受信するように構成される、請求項１７に記載の装置。
【請求項１９】
前記プロセッサは特に、前記協調セルの前記データ・スケジューリング情報に従って、時間周波数領域変換または多入力多出力ＭＩＭＯバランシングまたは逆離散フーリエ変換ＩＤＦＴまたは直角位相振幅変調ＱＡＭ復調を前記第１のデータに実施するように構成され、
前記送信器を用いることによって、前記協調セルの前記ベースバンド処理装置が前記時間周波数領域変換または前記多入力多出力ＭＩＭＯバランシングまたは前記逆離散フーリエ変換ＩＤＦＴまたは前記直角位相振幅変調ＱＡＭ復調を実施した後に取得された第１のデータを前記サービング・セルの前記ベースバンド処理装置に送信する（？）、
請求項１７または１８に記載の装置。
【請求項２０】
少なくとも１つのプロセッサ、メモリ、送信器、およびデータバスを備えた中央スケジューリング装置であって、前記データバスは、前記プロセッサ、前記メモリ、および前記送信器の間の接続と通信を実装するように構成され、前記メモリは、前記プロセッサにより実行されるプログラムコードおよびデータを格納するように構成され、
前記プロセッサは、ユーザ機器のデータを受信するためのデータ・スケジューリング情報を生成するように構成され、前記データ・スケジューリング情報は、サービング・セルのデータ・スケジューリング情報および少なくとも１つの協調セルのデータ・スケジューリング情報を含み、
前記プロセッサは、前記送信器を用いることによって、前記サービング・セルの前記データ・スケジューリング情報を前記サービング・セルのベースバンド処理装置に送信して、前記サービング・セルの前記ベースバンド処理装置が、前記サービング・セルの前記データ・スケジューリング情報に従って、前記ユーザ機器により送信された第２のデータを受信するように構成され、
前記プロセッサは、前記送信器を用いることによって、前記少なくとも１つの協調セルの前記データ・スケジューリング情報を前記対応する協調セルのベースバンド処理装置に別々に送信して、前記協調セルの前記ベースバンド処理装置が、前記前記対応する協調セルのデータ・スケジューリング情報に従って、前記ユーザ機器により送信された第１のデータを受信するように構成される、
中央スケジューリング装置。
【請求項２１】
サービング・セルに適用されるベースバンド処理装置であって、前記装置は少なくとも１つのプロセッサ、メモリ、受信器、およびデータバスを備え、前記データバスは、前記プロセッサ、前記メモリ、および前記受信器の間で接続と通信を実装するように構成され、前記メモリは、前記プロセッサにより実行されるプログラムコードおよびデータを格納するように構成され、
前記プロセッサは、前記受信器を用いることにより、中央スケジューリング装置により送信された前記サービング・セルのデータ・スケジューリング情報を受信するように構成され、
前記プロセッサは、前記受信器を用いることにより、前記サービング・セルの前記データ・スケジューリング情報に従って、ユーザ機器により送信された第２のデータを取得するように構成され、
前記プロセッサは、前記受信器を用いることにより、前記協調セルのベースバンド処理装置により送信された第１のデータを受信するように構成され、
前記プロセッサはさらに、前記第１のデータおよび前記第２のデータのセル間協調ＣｏＭＰ結合を実施するように構成される、
装置。
【請求項２２】
前記プロセッサは特に、前記サービング・セルの前記データ・スケジューリング情報に従って前記ユーザ機器のエア・インタフェース・データを取得するように構成され、
前記プロセッサはさらに、前記受信器を用いることにより、前記ユーザ機器の前記エア・インタフェース・データにより示されたチャネルにおいて、前記ユーザ機器により送信された前記第２のデータを受信するように構成される、
請求項２１に記載の装置。
【請求項２３】
前記プロセッサはさらに、時間周波数領域変換または多入力多出力ＭＩＭＯバランシングまたは逆離散フーリエ変換ＩＤＦＴまたは直角位相振幅変調ＱＡＭ復調を前記第１のデータに実施した後に、前記サービング・セルの前記データ・スケジューリング情報に従って、前記第２のデータおよび前記第１のデータのセル間協調ＣｏＭＰ結合を実施するように構成される、請求項２１または２２に記載の装置。
【請求項２４】
前記第１のデータは、前記協調セルの前記ベースバンド処理装置が時間周波数領域変換または多入力多出力ＭＩＭＯバランシングまたはＩＤＦＴまたはＱＡＭ復調を実施した後に取得された第１のデータである、請求項２１または２２に記載の装置。
【請求項２５】
中央スケジューリング装置、サービング・セルのベースバンド処理装置、および少なくとも１つの協調セルのベースバンド処理装置を備え、前記中央スケジューリング装置は請求項１２に記載の中央スケジューリング装置であり、前記サービング・セルの前記ベースバンド処理装置は請求項１３乃至１６の何れか１項に記載のベースバンド処理装置であり、前記協調セルの前記ベースバンド処理装置は請求項９乃至１１の何れか１項に記載のベースバンド処理装置であるか、または
前記中央スケジューリング装置は請求項２０に記載の中央スケジューリング装置であり、前記サービング・セルの前記ベースバンド処理装置は請求項２１乃至２４の何れか１項に記載のベースバンド処理装置であり、前記協調セルの前記ベースバンド処理装置は請求項１７乃至１９の何れか１項に記載のベースバンド処理装置である、基地局。
【請求項２６】
少なくとも１つの基地局を備え、前記基地局は請求項２５に記載の基地局である、通信システム。
【請求項２７】
前記通信システムが互いに通信する少なくとも２つの基地局を備えるとき、前記基地局の各々の中央スケジューリング装置はさらに、ユーザ機器のデータを受信するためのデータ・スケジューリング情報を別の基地局の中央スケジューリング装置と共有して、異なる基地局に属するサービング・セルのベースバンド処理装置および協調セルのベースバンド処理装置の間のデータ送信を促進するように構成される、請求項２６に記載の通信システム。
【発明の詳細な説明】
【技術分野】
【０００１】
本発明は通信の分野に関し、特に、データ・スケジューリング方法、装置、基地局、およびシステムに関する。
【背景技術】
【０００２】
ロング・ターム・エボリューション（Ｌｏｎｇ  Ｔｅｒｍ  Ｅｖｏｌｕｔｉｏｎ、ＬＴＥ）の重要な技術の１つとして、協調セル（Ｃｏｏｒｄｉｎａｔｅｄ  Ｍｕｌｔｉｐｌｅ  Ｐｏｉｎｔｓ、ＣｏＭＰ）送信とは、別々の地理的位置にある複数の送信ポイントが協調的に端末のデータ送信に参加するかまたは端末により送信されたデータを共同で受信することを指す。協調に参加する複数の送信ポイントは一般に異なるセルの基地局を指す。
【０００３】
ＣｏＭＰ技術では、ユーザは少なくとも１つの基地局のもとで複数のセルにより同時にサービス提供される。アップリンクＣｏＭＰユーザに関して、ユーザにサービスを提供するセルにはサービング・セルおよび協調セルが含まれる。協調セルは共同的な復調を実施する際にサービング・セルを支援して復調性能を高めることができる。
【０００４】
ＬＴＥのアップリンクＣｏＭＰの実装は第三世代パートナシップ・プロジェクト（Ｔｈｅ  ３ｒｄ  Ｇｅｎｅｒａｔｉｏｎ  Ｐａｒｔｎｅｒｓｈｉｐ  Ｐｒｏｊｅｃｔ、３ＧＰＰ）プロトコルに依存しない。現在、主に２つの技術的解決策がある。解決策１：当該ＣｏＭＰ解決策におけるユーザ機器（Ｕｓｅｒ  Ｅｑｕｉｐｍｅｎｔ、ＵＥ）に対して、共同受信がサービング・セルおよび協調セルのアンテナ・データに使用される。協調絵ｓるはデータをサービング・セルに送信する必要がある。協調セルは時間領域データをサービング・セルにブロードキャストする。サービング・セルが存在するベースバンド処理装置は、サービング・セルおよび協調セルの全てのアンテナに対して時間周波数領域変換を実施する。サービング・セルは、ユーザのＣｏＭＰ属性に従って、対応する協調セルの周波数領域データを抽出して、共同復調を実施する。
【０００５】
解決策２：アップリンクＣｏＭＰをサービング・セルのユーザに対して実施する必要がある場合、協調セルは、ＣｏＭＰユーザ・データをサービング・セルに送信するためのシグナリングを用いることによって、ＣｏＭＰ結合を実施するように指示される。協調セルは、時間領域処理を実施することで分離されたＣｏＭＰユーザ・データをサービング・セルに送信して、サービング・セルが共同復調を実施するようにする。
【０００６】
上述のアップリンクＣｏＭＰを実装するプロセスにおいて、発明者は先行技術には少なくとも以下の問題が存在することを発見した。即ち、アップリンクＣｏＭＰを実装するプロセスにおいて、ユーザのサービング・セルが協調セルの全てのアンテナに対して時間領域処理を実施する必要があるか、または、複数のセルと対話する必要がある。セル間シグナリング連携は複雑であり、ハードウェア・リソースおよびソフトウェア・リソースを含むサービング・セルのリソースが無駄になる。
【発明の概要】
【課題を解決するための手段】
【０００７】
本発明の諸実施形態は、データ・スケジューリング方法、装置、基地局、およびシステムを提供する。これらは、データ送信に対するリソースの無駄を削減する。
【０００８】
上述の目的を達成するために本発明の諸実施形態では以下の技術的解決策を使用する。
【０００９】
第１の態様によれば、協調セルに適用されるデータ・スケジューリング方法が提供される、当該方法は、協調セルのベースバンド処理装置により、中央スケジューリング装置により送信された協調セルのデータ・スケジューリング情報を受信するステップと、協調セルのデータ・スケジューリング情報に従って協調セルのベースバンド処理装置により、ユーザ機器により送信された第１のデータを取得するステップと、協調セルのベースバンド処理装置により、第１のデータをサービング・セルのベースバンド処理装置に送信するステップとを含む。
【００１０】
第１の態様を参照して、第１の可能な実装方式では、協調セルのデータ・スケジューリング情報に従って協調セルのベースバンド処理装置により、ユーザ機器により送信された第１のデータを取得するステップは、協調セルのベースバンド処理装置により、ユーザ機器のエア・インタフェース・データを協調セルのデータ・スケジューリング情報に従って取得するステップと、協調セルのベースバンド処理装置により、ユーザ機器のエア・インタフェース・データにより示されたチャネルにおいて、ユーザ機器により送信された第１のデータを受信するステップとを含む。
【００１１】
第１の態様または第１の可能な実装方式を参照して、第２の可能な実装方式では、協調セルのベースバンド処理装置により、第１のデータをサービング・セルのベースバンド処理装置に送信するステップは、協調セルのデータ・スケジューリング情報に従って協調セルのベースバンド処理装置により、時間周波数領域変換または多入力多出力ＭＩＭＯバランシングまたは逆離散フーリエ変換ＩＤＦＴまたは直角位相振幅変調ＱＡＭ復調を第１のデータに実施するステップと、協調セルのベースバンド処理装置により、時間周波数領域変換または多入力多出力ＭＩＭＯバランシングまたは逆離散フーリエ変換ＩＤＦＴまたは直角位相振幅変調ＱＡＭ復調の後に取得された第１のデータをサービング・セルのベースバンド処理装置に送信するステップとを含む。
【００１２】
第２の態様によれば、データ・スケジューリング方法が提供される。当該方法は、中央スケジューリング装置により、ユーザ機器のデータを受信するためのデータ・スケジューリング情報を生成するステップであって、当該データ・スケジューリング情報は、サービング・セルのデータ・スケジューリング情報および少なくとも１つの協調セルのデータ・スケジューリング情報を含むステップと、中央スケジューリング装置により、サービング・セルのデータ・スケジューリング情報をサービング・セルのベースバンド処理装置に送信して、サービング・セルのベースバンド処理装置が、サービング・セルのデータ・スケジューリング情報に従って、ユーザ機器により送信された第２のデータを受信するようにするステップと、中央スケジューリング装置により、当該少なくとも１つの協調セルのデータ・スケジューリング情報を対応する協調セルのベースバンド処理装置に別々に送信して、協調セルのベースバンド処理装置が、当該対応する協調セルのデータ・スケジューリング情報に従って、ユーザ機器により送信された第１のデータを受信するようにするステップとを含む。
【００１３】
第３の態様によれば、サービング・セルに適用されるデータ・スケジューリング方法が提供される。当該方法は、サービング・セルのベースバンド処理装置により、中央スケジューリング装置により送信されたサービング・セルのデータ・スケジューリング情報を受信するステップと、サービング・セルのベースバンド処理装置によりサービング・セルのデータ・スケジューリング情報に従って、ユーザ機器により送信された第２のデータを取得するステップと、サービング・セルのベースバンド処理装置により、協調セルのベースバンド処理装置により送信された第１のデータを受信するステップと、サービング・セルのベースバンド処理装置により、第１のデータおよび第２のデータのセル間協調ＣｏＭＰ結合を実施するステップとを含む。
【００１４】
第３の態様を参照して、第１の可能な実装方式では、サービング・セルのベースバンド処理装置によりサービング・セルのデータ・スケジューリング情報に従って、ユーザ機器により送信された第２のデータを取得するステップは、サービング・セルのベースバンド処理装置により、ユーザ機器のエア・インタフェース・データをサービング・セルのデータ・スケジューリング情報に従って取得するステップと、サービング・セルのベースバンド処理装置により、ユーザ機器のエア・インタフェース・データにより示されたチャネルにおいて、ユーザ機器により送信された第２のデータを受信するステップとを含む。
【００１５】
第３の態様または第１の可能な実装方式を参照して、第２の可能な実装方式では、サービング・セルのベースバンド処理装置により、第１のデータおよび第２のデータのセル間協調ＣｏＭＰ結合を実施するステップは、サービング・セルのベースバンド処理装置により、時間周波数領域変換または多入力多出力ＭＩＭＯバランシングまたは逆離散フーリエ変換ＩＤＦＴまたは直角位相振幅変調ＱＡＭ復調を第１のデータに実施した後に、サービング・セルのデータ・スケジューリング情報に従って、第２のデータおよび第１のデータのセル間協調ＣｏＭＰ結合を実施するステップを含む。
【００１６】
第３の態様または第１の可能な実装方式を参照して、第３の可能な実装方式では、第１のデータは、協調セルのベースバンド処理装置が時間周波数領域変換または多入力多出力ＭＩＭＯバランシングまたはＩＤＦＴまたはＱＡＭ復調を実施した後に取得された第１のデータである。
【００１７】
第４の態様によれば、ベースバンド処理装置が提供される。当該装置は協調セルに適用され、スケジューリング・ユニット、受信ユニット、および送信ユニットを備える。当該スケジューリング・ユニットは、中央スケジューリング装置により送信された協調セルのデータ・スケジューリング情報を受信し、協調セルのデータ・スケジューリング情報を当該受信ユニットに送信するように構成され、当該受信ユニットは、当該スケジューリング・ユニットにより送信された協調セルのデータ・スケジューリング情報を受信し、協調セルのデータ・スケジューリング情報に従って、ユーザ機器により送信された第１のデータを取得し、第１のデータを当該送信ユニットに送信するように構成され、当該送信ユニットは、当該受信ユニットにより送信された第１のデータを受信し、第１のデータをサービング・セルのベースバンド処理装置を送信するように構成される。
【００１８】
第４の態様を参照して、第１の可能な実装方式では、当該受信サブユニットは、復調サブユニットおよび受信サブユニットを備える。当該復調サブユニットは、協調セルのデータ・スケジューリング情報に従って、ユーザ機器のエア・インタフェース・データを取得し、ユーザ機器のエア・インタフェース・データを当該受信サブユニットに送信するように構成され、当該受信サブユニットは、当該復調サブユニットにより送信されたユーザ機器のエア・インタフェース・データを受信し、ユーザ機器のエア・インタフェース・データにより示されたチャネルにおいて、ユーザ機器により送信された第１のデータを受信するように構成される。
【００１９】
第４の態様または第１の可能な実装方式を参照して、第２の可能な実装方式では、当該送信ユニットは、前処理サブユニットおよび送信サブユニットを備える。当該前処理サブユニットは、当該スケジューリング・ユニットにより送信された協調セルのデータ・スケジューリング情報および当該受信ユニットにより送信された第１のデータを取得し、協調セルのデータ・スケジューリング情報に従って、時間周波数領域変換または多入力多出力ＭＩＭＯバランシングまたは逆離散フーリエ変換ＩＤＦＴまたは直角位相振幅変調ＱＡＭ復調を第１のデータに実施するように構成され、当該送信サブユニットは、当該前処理サブユニットが時間周波数領域変換または多入力多出力ＭＩＭＯバランシングまたは逆離散フーリエ変換ＩＤＦＴまたは直角位相振幅変調ＱＡＭ復調を実施した後に取得された第１のデータをサービング・セルのベースバンド処理装置に送信するように構成される。
【００２０】
第５の態様によれば、中央スケジューリング装置が提供される。当該装置は、スケジューリング・ユニットおよび送信ユニットを備える。当該スケジューリング・ユニットは、ユーザ機器のデータを受信するためのデータ・スケジューリング情報を生成し、当該データ・スケジューリング情報を当該送信ユニットに送信するように構成され、当該データ・スケジューリング情報は、サービング・セルのデータ・スケジューリング情報および少なくとも１つの協調セルのデータ・スケジューリング情報を含み、当該送信ユニットは、当該スケジューリング・ユニットにより送信されたデータ・スケジューリング情報を受信して、サービング・セルのデータ・スケジューリング情報をサービング・セルのベースバンド処理装置に送信して、サービング・セルのベースバンド処理装置が、サービング・セルのデータ・スケジューリング情報に従って、ユーザ機器により送信された第２のデータを受信するように構成され、当該送信ユニットはさらに、当該少なくとも１つの協調セルのデータ・スケジューリング情報を対応する協調セルのベースバンド処理装置に送信して、協調セルのベースバンド処理装置が、当該対応する協調セルのデータ・スケジューリング情報に従って、ユーザ機器により送信された第１のデータを受信するように構成される。
【００２１】
第６の態様によれば、ベースバンド処理装置が提供される。当該装置はサービング・セルに適用され、スケジューリング・ユニット、受信ユニット、および結合ユニットを備える。当該スケジューリング・ユニットは、中央スケジューリング装置により送信されたサービング・セルのデータ・スケジューリング情報を受信し、サービング・セルのデータ・スケジューリング情報を当該受信ユニットに送信するように構成され、当該受信ユニットは、当該スケジューリング・ユニットにより送信されたサービング・セルのデータ・スケジューリング情報を受信し、サービング・セルのデータ・スケジューリング情報に従って、ユーザ機器により送信された第２のデータを取得し、第２のデータを当該結合ユニットに送信するように構成され、当該受信ユニットはさらに、協調セルのベースバンド処理装置により送信された第１のデータを受信し、第１のデータを当該結合ユニットに送信するように構成され、当該結合ユニットは、当該受信ユニットにより送信された第１のデータおよび第２のデータを受信し、第１のデータおよび第２のデータのセル間協調ＣｏＭＰ結合を実施するように構成される。
【００２２】
第６の態様を参照して、第１の可能な実装方式では、当該受信ユニットは、復調サブユニットおよび受信サブユニットを備える。当該復調サブユニットは、サービング・セルのデータ・スケジューリング情報に従ってユーザ機器のエア・インタフェース・データを取得し、ユーザ機器のエア・インタフェース・データを当該受信サブユニットに送信するように構成され、当該受信サブユニットは、当該復調サブユニットにより送信されたユーザ機器のエア・インタフェース・データを受信し、当該エア・インタフェース・データにより示されたチャネルで、ユーザ機器により送信された第２のデータを受信するように構成される。
【００２３】
第６の態様または第１の可能な実装方式を参照して、第２の可能な実装方式では、当該結合ユニットは特に、サービング・セルのデータ・スケジューリング情報を取得し、当該受信ユニットにより送信された第１のデータおよび第２のデータを受信し、時間周波数領域変換または多入力多出力ＭＩＭＯバランシングまたは逆離散フーリエ変換ＩＤＦＴまたは直角位相振幅変調ＱＡＭ復調を第１のデータに実施した後に、サービング・セルのデータ・スケジューリング情報に従って、第２のデータおよび第１のデータのセル間協調ＣｏＭＰ結合を実施するように構成される。
【００２４】
第６の態様または第１の可能な実装方式を参照して、第３の可能な実装方式では、第１のデータは、協調セルのベースバンド処理装置が時間周波数領域変換または多入力多出力ＭＩＭＯバランシングまたはＩＤＦＴまたはＱＡＭ復調を実施した後に取得された第１のデータである。
【００２５】
第７の態様によれば、ベースバンド処理装置が提供される。当該装置は協調セルに適用され、少なくとも１つのプロセッサ、メモリ、受信器、送信器、およびデータバスを備える。当該データバスは、当該プロセッサ、当該メモリ、当該受信器、および当該送信器の間で接続と通信を実装するように構成され、当該メモリは、当該プロセッサにより実行されるプログラムコードおよびデータを格納するように構成され、当該プロセッサは、当該受信器を用いることにより、中央スケジューリング装置により送信された協調セルのデータ・スケジューリング情報を受信するように構成され、当該プロセッサは、協調セルのデータ・スケジューリング情報に従っておよび当該受信器を用いることにより、ユーザ機器により送信された第１のデータを取得するように構成され、当該プロセッサは、当該送信器を用いることによって第１のデータをサービング・セルのベースバンド処理装置に送信するように構成される。
【００２６】
第７の態様を参照して、第１の可能な実装方式では、当該プロセッサは特に、協調セルのデータ・スケジューリング情報に従って、ユーザ機器のエア・インタフェース・データを取得し、当該受信器を用いることにより、ユーザ機器のエア・インタフェース・データにより示されたチャネルにおいて、ユーザ機器により送信された第１のデータを受信するように構成される。
【００２７】
第７の態様または第１の可能な実装方式を参照して、第２の可能な実装方式では、当該プロセッサは特に、協調セルのデータ・スケジューリング情報に従って、時間周波数領域変換または多入力多出力ＭＩＭＯバランシングまたは逆離散フーリエ変換ＩＤＦＴまたは直角位相振幅変調ＱＡＭ復調を第１のデータに実施し、当該送信器を用いることによって、協調セルのベースバンド処理装置が時間周波数領域変換または多入力多出力ＭＩＭＯバランシングまたは逆離散フーリエ変換ＩＤＦＴまたは直角位相振幅変調ＱＡＭ復調を実施した後に取得された第１のデータをサービング・セルのベースバンド処理装置に送信するように構成される。
【００２８】
第８の態様によれば、中央スケジューリング装置が提供される。当該装置は、少なくとも１つのプロセッサ、メモリ、送信器、およびデータバスを備える。当該データバスは、当該プロセッサ、当該メモリ、および当該送信器の間の接続と通信を実装するように構成され、当該メモリは、当該プロセッサにより実行されるプログラムコードおよびデータを格納するように構成され、当該プロセッサは、ユーザ機器のデータを受信するためのデータ・スケジューリング情報を生成するように構成され、当該データ・スケジューリング情報は、サービング・セルのデータ・スケジューリング情報および少なくとも１つの協調セルのデータ・スケジューリング情報を含み、当該プロセッサは、当該送信器を用いることによって、サービング・セルのデータ・スケジューリング情報をサービング・セルのベースバンド処理装置に送信して、サービング・セルのベースバンド処理装置が、サービング・セルのデータ・スケジューリング情報に従って、ユーザ機器により送信された第２のデータを受信するように構成され、当該プロセッサは、当該送信器を用いることによって、当該少なくとも１つの協調セルのデータ・スケジューリング情報を対応する協調セルのベースバンド処理装置に別々に送信して、協調セルのベースバンド処理装置が、当該対応する協調セルのデータ・スケジューリング情報に従って、ユーザ機器により送信された第１のデータを受信するように構成される。
【００２９】
第９の態様によれば、ベースバンド処理装置が提供される。当該装置はサービング・セルに適用され、少なくとも１つのプロセッサ、メモリ、受信器、およびデータバスを備える。当該データバスは、当該プロセッサ、当該メモリ、および当該受信器の間で接続と通信を実装するように構成され、当該メモリは、当該プロセッサにより実行されるプログラムコードおよびデータを格納するように構成され、当該プロセッサは、当該受信器を用いることにより、中央スケジューリング装置により送信されたサービング・セルのデータ・スケジューリング情報を受信するように構成され、当該プロセッサは、当該受信器を用いることにより、サービング・セルのデータ・スケジューリング情報に従って、ユーザ機器により送信された第２のデータを取得するように構成され、当該プロセッサは、当該受信器を用いることにより、協調セルのベースバンド処理装置により送信された第１のデータを受信するように構成され、当該プロセッサはさらに、第１のデータおよび第２のデータのセル間協調ＣｏＭＰ結合を実施するように構成される。
【００３０】
第９の態様を参照して、第１の可能な実装方式では、当該プロセッサは特に、サービング・セルのデータ・スケジューリング情報に従ってユーザ機器のエア・インタフェース・データを取得するように構成され、当該プロセッサはさらに、当該受信器を用いることにより、ユーザ機器のエア・インタフェース・データにより示されたチャネルにおいて、ユーザ機器により送信された第２のデータを受信するように構成される。
【００３１】
第９の態様または第１の可能な実装方式を参照して、第２の可能な実装方式では、当該プロセッサはさらに、時間周波数領域変換または多入力多出力ＭＩＭＯバランシングまたは逆離散フーリエ変換ＩＤＦＴまたは直角位相振幅変調ＱＡＭ復調を第１のデータに実施した後に、サービング・セルのデータ・スケジューリング情報に従って、第２のデータおよび第１のデータのセル間協調ＣｏＭＰ結合を実施するように構成される。
【００３２】
第９の態様または第１の可能な実装方式を参照して、第３の可能な実装方式では、第１のデータは、協調セルのベースバンド処理装置が時間周波数領域変換または多入力多出力ＭＩＭＯバランシングまたはＩＤＦＴまたはＱＡＭ復調を実施した後に取得された第１のデータである。
【００３３】
第１０の態様によれば、基地局が提供される。当該基地局は、中央スケジューリング装置、サービング・セルのベースバンド処理装置、および少なくとも１つの協調セルのベースバンド処理装置を備える。中央スケジューリング装置は上述の中央スケジューリング装置であり、サービング・セルのベースバンド処理装置はサービング・セルの上述のベースバンド処理装置であり、協調セルのベースバンド処理装置は協調セルの上述のベースバンド処理装置である。
【００３４】
第１１の態様によれば、システムが提供される。当該システムは、少なくとも１つの基地局を備え、当該基地局は上述の基地局である。
【００３５】
第１１の態様を参照して、第１の可能な実装方式では、当該通信システムが互いに通信する少なくとも２つの基地局を含むとき、当該基地局の各々の中央スケジューリング装置はさらに、ユーザ機器のデータを受信するためのデータ・スケジューリング情報を別の基地局の中央スケジューリング装置と共有して、異なる基地局に属するサービング・セルのベースバンド処理装置および協調セルのベースバンド処理装置の間のデータ送信を促進するように構成される。
【００３６】
本発明の諸実施形態により提供されるデータ・スケジューリング方法、装置、基地局、およびシステムによれば、セル間協調データ・スケジューリング情報が、基地局または基地局間の中央スケジューリング装置を用いることによって各セル内のベースバンド処理装置に送信され、協調セルのベースバンド処理装置が、サービング・セルのベースバンド処理装置に、ユーザに対して提供する必要があるセル間協調データを送信する。その結果、データ送信の粒度はユーザレベルではなくセルレベルのものである。これにより、サービング・セルおよび協調セルの間でスケジューリング情報を送信する時間を減らし、データ送信に対するリソースの無駄を減らす。
【００３７】
本発明の諸実施形態または先行技術の術的解決策をより明確に説明するために、以下では当該諸実施形態または先行技術を説明するのに必要な添付図面を簡単に説明する。
【図面の簡単な説明】
【００３８】
【図１】本発明の１実施形態に従うシステムの略構造図である。
【図２】本発明の別の実施形態に従うシステムの略構造図である。
【図３】本発明の１実施形態に従う基地局の略構造図である。
【図３Ａ】本発明の図２に示すシステムに従う、基地局の間の通信関係の略図である。
【図４】本発明の１実施形態に従う中央スケジューリング装置の略構造図である。
【図５】本発明の１実施形態に従うベースバンド処理装置の略構造図である。
【図６】本発明の１実施形態に従う別のベースバンド処理装置の略構造図である。
【図７】本発明の別の実施形態に従う中央スケジューリング装置の略構造図である。
【図８】本発明の別の実施形態に従うベースバンド処理装置の略構造図である。
【図９】本発明の別の実施形態に従う別のベースバンド処理装置の略構造図である。
【図１０】本発明の１実施形態に従うデータ・スケジューリング方法の略流れ図である。
【図１１】本発明の１実施形態に従う別のデータ・スケジューリング方法の略流れ図である。
【図１２】本発明の１実施形態に従うさらに別のデータ・スケジューリング方法の略流れ図である。
【発明を実施するための形態】
【００３９】
以下では、本発明の諸実施形態の添付図面を参照して本発明の諸実施形態の技術的解決策を明確かつ十分に説明する。明らかに、説明する諸実施形態は本発明の諸実施形態の一部にすぎず全部ではない。
【００４０】
本発明の諸実施形態はユーザ機器のデータのセル間協調送信を実装するためにＬＴＥシステムに適用される。特に、本発明の１実施形態ではシステムを提供する。図１を参照すると、当該システムは少なくとも１つの基地局１を備える。基地局１とＣｏＭＰを共同で要求するユーザ機器ＵＥ２１（ユーザ機器ＵＥ２１−２ｋは基地局１によりサービス提供される全てのユーザ機器である）とが当該システムを構成する。図３を参照すると、本発明の当該実施形態で提供する基地局１は上述の図１で提供するシステムに適用される。当該システムは特に、中央スケジューリング装置１１、サービング・セルのベースバンド処理装置１３、および少なくとも１つの協調セルのベースバンド処理装置１２を備える（図３では、１４も協調セルのベースバンド処理装置である。１４の機能は協調セルのベースバンド処理装置１２の機能と完全に同じであり、協調セルの１４およびベースバンド処理装置１２の何れかを本明細書では説明の１例として用いる。以下の実施形態では、協調セルのベースバンド処理装置１２とユーザ機器ＵＥ２１は説明の１例として使用される）。
【００４１】
図４を参照すると、中央スケジューリング装置１１は、スケジューリング・ユニット１１１および送信ユニット１１２を備える。
【００４２】
スケジューリング・ユニット１１１は、ユーザ機器ＵＥ２１のデータを受信するためのデータ・スケジューリング情報を生成し、当該データ・スケジューリング情報を送信ユニット１１２に送信するように構成される。当該データ・スケジューリング情報は、サービング・セルのデータ・スケジューリング情報および少なくとも１つの協調セルのデータ・スケジューリング情報を含む。
【００４３】
送信ユニット１１２は、スケジューリング・ユニット１１１により送信されたデータ・スケジューリング情報を受信し、サービング・セルのデータ・スケジューリング情報をサービング・セルのベースバンド処理装置に送信して、サービング・セルのベースバンド処理装置が、サービング・セルのデータ・スケジューリング情報に従って、ユーザ機器ＵＥ２１により送信された第２のデータを受信するように構成される。
【００４４】
送信ユニット１１２はさらに、当該少なくとも１つの協調セルのデータ・スケジューリング情報を対応する協調セルのベースバンド処理装置に送信して、協調セルのベースバンド処理装置が、当該対応する協調セルのデータ・スケジューリング情報に従って、ユーザ機器ＵＥ２１により送信された第１のデータを受信するように構成される。
【００４５】
図５を参照すると、ベースバンド処理装置１２が提供される。装置１２は協調セルに適用され、スケジューリング・ユニット１２１、受信ユニット１２２、および送信ユニット１２３を備える。
【００４６】
スケジューリング・ユニット１２１は、中央スケジューリング装置により送信された協調セルのデータ・スケジューリング情報を受信し、協調セルのデータ・スケジューリング情報を受信ユニット１２２に送信するように構成され、受信ユニット１２２は、スケジューリング・ユニット１２１により送信された協調セルのデータ・スケジューリング情報を受信し、協調セルのデータ・スケジューリング情報に従って、ユーザ機器により送信された第１のデータを取得し、第１のデータを送信ユニット１２３に送信するように構成され、送信ユニット１２３は、受信ユニット１２２により送信された第１のデータを受信し、第１のデータをサービング・セルのベースバンド処理装置に送信するように構成される。
【００４７】
さらに、図５を参照すると、受信ユニット１２２は復調サブユニット１２２１および受信サブユニット１２２２を備える。復調サブユニット１２２１は、協調セルのデータ・スケジューリング情報に従って、ユーザ機器のエア・インタフェース・データを取得し、ユーザ機器のエア・インタフェース・データを受信サブユニット１２２２に送信するように構成され、受信サブユニット１２２２は、復調サブユニット１２２１により送信されたユーザ機器のエア・インタフェース・データを受信し、ユーザ機器のエア・インタフェース・データにより示されたチャネルにおいて、ユーザ機器により送信された第１のデータを受信するように構成される。
【００４８】
さらに、図５を参照すると、送信ユニット１２３は、前処理サブユニット１２３４および送信サブユニット１２３２を備える。前処理サブユニット１２３１は、スケジューリング・ユニット１２１により送信された協調セルのデータ・スケジューリング情報および受信ユニット１２２により送信された第１のデータを取得し、協調セルのデータ・スケジューリング情報に従って、時間周波数領域変換または多入力多出力（Ｍｕｌｔｉ−ｉｎｐｕｔ  Ｍｕｌｔｉ−ｏｕｔｐｕｔ、ＭＩＭＯ）バランシングまたは逆離散フーリエ変換（Ｉｎｖｅｒｓｅ  Ｄｉｓｃｒｅｔｅ  Ｆｏｕｒｉｅｒ  Ｔｒａｎｓｆｏｒｍ、ＩＤＦＴ）または直角位相振幅変調（Ｑｕａｄｒａｔｕｒｅ  Ａｍｐｌｉｔｕｄｅ  ＭｏｄｕｌａｔｉｏｎＱＡＭ）復調を第１のデータを実施するように構成され、送信サブユニット１２３２は、当該前処理サブユニットが時間周波数領域変換または多入力多出力ＭＩＭＯバランシングまたは逆離散フーリエ変換ＩＤＦＴまたは直角位相振幅変調ＱＡＭ復調を実施した後に取得された第１のデータをサービング・セルのベースバンド処理装置に送信するように構成される。
【００４９】
さらに、サービング・セルのベースバンド処理装置１３が提供される。図６を参照すると、サービング・セルのベースバンド処理装置１３は、スケジューリング・ユニット１３１、受信ユニット１３２、および結合ユニット１３３を備える。スケジューリング・ユニット１３１は、中央スケジューリング装置により送信されたサービング・セルのデータ・スケジューリング情報を受信し、サービング・セルのデータ・スケジューリング情報を受信ユニット１３２に送信するように構成され、受信ユニット１３２は、スケジューリング・ユニット１３１により送信されたサービング・セルのデータ・スケジューリング情報を受信し、サービング・セルのデータ・スケジューリング情報に従って、ユーザ機器により送信された第２のデータを取得し、第２のデータを結合ユニット１３３に送信するように構成され、受信ユニット１３２はさらに、協調セルのベースバンド処理装置により送信された第１のデータを受信し、第１のデータを結合ユニット１３３に送信するように構成され、結合ユニット１３３は、受信ユニット１３２により送信された第１のデータおよび第２のデータを受信し、第１のデータおよび第２のデータのセル間協調ＣｏＭＰ結合を実施するように構成される。
【００５０】
さらに、図６を参照すると、受信ユニット１３２は、復調サブユニット１３２１および受信サブユニット１３２２を備える。復調サブユニット１３２１は、サービング・セルのデータ・スケジューリング情報に従ってユーザ機器のエア・インタフェース・データを取得し、ユーザ機器のエア・インタフェース・データを受信サブユニット１３２２に送信するように構成され、受信サブユニット１３２２は、復調サブユニット１３２２により送信されたユーザ機器のエア・インタフェース・データを受信し、当該エア・インタフェース・データにより示されたチャネルで、ユーザ機器により送信された第２のデータを受信するように構成される。
【００５１】
場合によっては、結合ユニット１３３は特に、サービング・セルのデータ・スケジューリング情報を取得し、受信ユニット１３２により送信された第１のデータおよび第２のデータを受信し、時間周波数領域変換または多入力多出力ＭＩＭＯバランシングまたは逆離散フーリエ変換ＩＤＦＴまたは直角位相振幅変調ＱＡＭ復調を第１のデータに実施した後に、サービング・セルのデータ・スケジューリング情報に従って、第２のデータおよび第１のデータのセル間協調ＣｏＭＰ結合を実施するように構成される。
【００５２】
場合によっては、第１のデータは、協調セルのベースバンド処理装置が時間周波数領域変換または多入力多出力ＭＩＭＯバランシングまたはＩＤＦＴまたはＱＡＭ復調を実施した後に取得された第１のデータである。
【００５３】
本発明の当該実施形態により提供されるデータ・スケジューリング装置、基地局、およびシステムによれば、セル間協調データ・スケジューリング情報は、基地局または基地局間の中央スケジューリング装置を用いることによって、各セル内のベースバンド処理装置に送信され、協調セルのベースバンド処理装置は、サービング・セルのベースバンド処理装置に、ユーザに提供する必要があるセル間協調データを送信し、その結果、データ送信の粒度はユーザレベルではなくセル・レベルのものであり、これにより、サービング・セルおよび協調セルの間でスケジューリング情報を送信する時間を減らし、データ送信に対するリソースの無駄およびデータ送信の複雑性を減らし、システム信頼性を高めることができる。
【００５４】
特に、図１および図３を参照すると、図１に示すシステムは基地局１を備え、ユーザ機器はＵＥ（２１−２Ｋ）である。３つのセル、即ち、セル０、セル１およびセル２は基地局１に属する。セル１はユーザ機器ＵＥ２１のサービング・セルであり、セル０およびセル２はユーザ機器ＵＥ２１の協調セルであり、セル０、セル１およびセル２はユーザ機器ＵＥ２１の協調クラスタとして共にユーザ機器ＵＥ２１に対してサービスを提供する。具体的なセル間協調ＣｏＭＰプロセスは以下の通りである。
【００５５】
中央スケジューリング装置１１は、ＣｏＭＰセル間協調としてサービス提供するユーザ機器を決定する。ユーザ機器ＵＥ２１がセル間協調としてサービス提供する必要があるのを、本明細書では説明のための１例として用いる。中央スケジューリング装置１１は、ユーザ機器ＵＥ２１のデータを受信するためのデータ・スケジューリング情報を生成する。当該データ・スケジューリング情報は、サービング・セル（セル１）のデータ・スケジューリング情報および協調セル（図１に示すセル０およびセル２。セル０の機能およびセル２の機能は全く同じであり、セル０を本明細書における説明の１例として用いる）のデータ・スケジューリング情報を含む。中央スケジューリング装置１１はサービング・セルのデータ・スケジューリング情報（セル１）をサービング・セルのベースバンド処理装置１３に送信する。中央スケジューリング装置１１は協調セル（セル０）のデータ・スケジューリング情報を当該協調セルのベースバンド処理装置１２に送信する。
【００５６】
セル０のベースバンド処理装置１２は、中央スケジューリング装置１１により送信されたセル０のデータ・スケジューリング情報を受信し、セル０のデータ・スケジューリング情報に従ってユーザ機器ＵＥ２１のエア・インタフェース・データを取得する。セル０のベースバンド処理装置１２は、ユーザ機器ＵＥ２１のエア・インタフェース・データにより示されたチャネルにおいて、ユーザ機器ＵＥ２１により送信された第１のデータを受信し、セル０のデータ・スケジューリング情報内の指示に従って、時間周波数領域変換または多入力多出力ＭＩＭＯバランシングまたは逆離散フーリエ変換ＩＤＦＴまたは直角位相振幅変調ＱＡＭ復調の処理を当該受信された第１のデータに対して実施するか、または、第１のデータに対して追加の処理を実施しなくてもよい。
【００５７】
セル０のベースバンド処理装置１２は第１のデータをセル１のベースバンド処理装置１３に送信する。
【００５８】
セル１のベースバンド処理装置１３は、中央スケジューリング装置１１により送信されたセル１のデータ・スケジューリング情報を受信し、ユーザ機器ＵＥ２１のエア・インタフェース・データをセル１のデータ・スケジューリング情報から取得する。
【００５９】
セル１のベースバンド処理装置１３は、ユーザ機器ＵＥ２１のエア・インタフェース・データにより示されたチャネル上で、ユーザ機器ＵＥ２１により送信された第２のデータを受信する。
【００６０】
セル１のベースバンド処理装置１３は、セル０のベースバンド処理装置１２により送信された第１のデータを受信する。
【００６１】
サービング・セルのベースバンド処理装置１３が第１のデータおよび第２のデータのセル間協調ＣｏＭＰ結合を実施する。
【００６２】
セル０の時間周波数領域変換または多入力多出力ＭＩＭＯバランシングまたは逆離散フーリエ変換ＩＤＦＴまたは直角位相振幅変調ＱＡＭ復調の処理が第１のデータに実施される場合、セル２のベースバンド処理装置１４は第１のデータおよび第２のデータのセル間協調ＣｏＭＰ結合を直接実施する。セル０の時間周波数領域変換または多入力多出力ＭＩＭＯバランシングまたは逆離散フーリエ変換ＩＤＦＴまたは直角位相振幅変調ＱＡＭ復調の処理が第１のデータに実施されない場合、セル２のベースバンド処理装置１４は先ず時間周波数領域変換または多入力多出力ＭＩＭＯバランシングまたは逆離散フーリエ変換ＩＤＦＴまたは直角位相振幅変調ＱＡＭ復調の処理を当該受信された第１のデータに実施し、次いで第１のデータおよび第２のデータのセル間協調ＣｏＭＰ結合を実施する。
【００６３】
同様に、中央スケジューリング装置がＣｏＭＰを３つのセルに対して実施する必要がある場合には、中央スケジューリング装置は、データ・スケジューリング情報により示されたデータをサービング・セルに送信するように各協調セルのベースバンド処理装置に指示する必要がある。勿論、かかるケースは特許請求の範囲で開示されており、詳細については再度説明することはしない。
【００６４】
場合によっては、図２を参照すると、本発明の１実施形態では通信システムを提供する。当該通信システムは、互いに通信する少なくとも２つの基地局を備える。当該基地局の各々の中央スケジューリング装置はさらに、別の基地局の中央スケジューリング装置と、ユーザ機器のデータを受信するためのデータ・スケジューリング情報を共有して、異なる基地局に属するサービング・セルのベースバンド処理装置と協調セルのベースバンド処理装置との間のデータ送信を促進するように構成される。図３Ａを参照すると、基地局２によりサービス提供されるユーザ機器ＵＥ３１に対してデータ・スケジューリングが実施されるのを１例として使用する。ユーザ機器ＵＥ３１は、基地局２のセル１内に配置される。即ち、セル１はユーザ機器ＵＥ３１のサービング・セルである。中央スケジューリング装置２１は基地局２内に配置され、中央スケジューリング装置３１は基地局３内に配置される。当該基地局の中央スケジューリング装置２および３は、ユーザ機器ＵＥ３１のデータを受信する観点からデータ・スケジューリング情報を共有してもよい。この場合、各基地局内では、各セル内のベースバンド処理装置が、上述の図１に示すシステムのデータ・スケジューリング方式で、異なる基地局のセル内のベースバンド処理装置間のデータ送信を実装することができる。
【００６５】
特に、図２および図３Ａを参照すると、当該通信システムは、少なくとも２つの基地局、即ち、基地局２および３を備える。基地局２および３および基地局２によりサービス提供されるユーザ機器ＵＥ３１（３１−３ｋは基地局２によりサービス提供される全てのユーザ機器である）が共同で当該通信システムを構成する。基地局２および３の機能は依然として本発明の図３に示す実施形態により提供される基地局の機能と同じである。３つのセル、即ち、セル０、セル１、およびセル２は基地局１に属する。セル１はユーザ機器ＵＥ３１のサービング・セルである。３つのセル、即ち、セル３、セル４、およびセル５は基地局３に属する。セル３およびセル５はユーザ機器ＵＥ３１の協調セルであり、セル１、セル３、およびセル５はユーザ機器ＵＥ３１の協調クラスタとして共にユーザ機器ＵＥ３１に対してサービスを提供する。具体的なＣｏＭＰプロセスは以下の通りである。
【００６６】
中央スケジューリング装置２１は、ＣｏＭＰセル間協調としての役割を果たす必要があるユーザ機器を決定する。ユーザ機器ＵＥ３１がセル間協調としての役割を果たす必要があるのを本明細書における説明の１例として用いる。 
【００６７】
中央スケジューリング装置２１は、ユーザ機器ＵＥ３１のデータを受信するためのデータ・スケジューリング情報を生成する。当該データ・スケジューリング情報は、サービング・セル（セル１）のデータ・スケジューリング情報と協調セル（図２に示すセル３、セル４、およびセル５。セル３、セル４、およびセル５の機能は全く同じであり、セル３を本明細書における説明の１例として用いる）のデータ・スケジューリング情報を含む。中央スケジューリング装置２１は、セル１のデータ・スケジューリング情報をセル１のベースバンド処理装置１２に送信する。中央スケジューリング装置２１は、セル３のデータ・スケジューリング情報を、セル３のベースバンド処理装置３２が配置された基地局３の中央スケジューリング装置３１に送信する。
【００６８】
基地局３の中央スケジューリング装置３１は、セル３のデータ・スケジューリング情報を基地局２の中央スケジューリング装置２１と共有し、当該データ・スケジューリング情報をセル３のベースバンド処理装置３２に送信する。
【００６９】
セル３のベースバンド処理装置３２は、中央スケジューリング装置３１により送信されたセル３のデータ・スケジューリング情報を受信し、ユーザ機器ＵＥ３１のエア・インタフェース・データをセル３のデータ・スケジューリング情報から取得する。
【００７０】
セル３のベースバンド処理装置３２は、ユーザ機器ＵＥ３１のエア・インタフェース・データにより示されたチャネルにおいて、ユーザ機器ＵＥ３１により送信された第１のデータを受信し、セル３のデータ・スケジューリング情報内の指示に従って、時間周波数領域変換または多入力多出力ＭＩＭＯバランシングまたは逆離散フーリエ変換ＩＤＦＴまたは直角位相振幅変調ＱＡＭ復調の処理を当該受信された第１のデータに対して実施するか、または、第１のデータに対して追加の処理を実施しなくてもよい。
【００７１】
セル３のベースバンド処理装置３２は第１のデータをセル１のベースバンド処理装置２３に送信する。
【００７２】
セル１のベースバンド処理装置２３は、中央スケジューリング装置２１により送信されたセル１のデータ・スケジューリング情報を受信し、ユーザ機器ＵＥ３１のエア・インタフェース・データをセル１のデータ・スケジューリング情報から取得する。
【００７３】
セル１のベースバンド処理装置２３は、ユーザ機器ＵＥ３１のエア・インタフェース・データにより示されたチャネルにおいて、ユーザ機器ＵＥ３１により送信された第２のデータを受信する。
【００７４】
セル１のベースバンド処理装置２３は、セル３のベースバンド処理装置３２により送信された第１のデータを受信する。
【００７５】
サービング・セルのベースバンド処理装置２３は第１のデータおよび第２のデータのセル間協調ＣｏＭＰ結合を実施する。
【００７６】
同様に、セル３の時間周波数領域変換または多入力多出力ＭＩＭＯバランシングまたは当該逆離散フーリエ変換ＩＤＦＴまたは直角位相振幅変調ＱＡＭ復調の処理が第１のデータに実施される場合、セル５のベースバンド処理装置３４は、第１のデータおよび第２のデータのセル間協調ＣｏＭＰ結合を直接実施する。セル３の時間周波数領域変換または多入力多出力ＭＩＭＯバランシングまたは逆離散フーリエ変換ＩＤＦＴまたは直角位相振幅変調ＱＡＭ復調の処理が第１のデータに実施されない場合、セル５のベースバンド処理装置３４は先ず、時間周波数領域変換または多入力多出力ＭＩＭＯバランシングまたは逆離散フーリエ変換ＩＤＦＴまたは直角位相振幅変調ＱＡＭ復調の処理を当該受信された第１のデータに対して実施し、次いで第１のデータおよび第２のデータのセル間協調ＣｏＭＰ結合を実施する。
【００７７】
上述の手続きを、異なるユーザに対するサイト内ＣｏＭＰおよびサイト間ＣｏＭＰがセル内に共存するシナリオに適用してもよく、３つ以上のセル間のＣｏＭＰに使用してもよい。
【００７８】
本発明の当該実施形態により提供されるデータ・スケジューリング装置、基地局、およびシステムによれば、セル間協調データ・スケジューリング情報は、基地局または基地局間の中央スケジューリング装置を用いることによって、各セル内のベースバンド処理装置に送信され、協調セルのベースバンド処理装置は、サービング・セルのベースバンド処理装置に、ユーザに提供する必要があるセル間協調データを送信し、その結果、データ送信の粒度はユーザレベルではなくセル・レベルのものであり、これにより、サービング・セルおよび協調セルの間でスケジューリング情報を送信する時間を減らし、データ送信に対するリソースの無駄およびデータ送信の複雑性を減らし、システム信頼性を高めることができる。
【００７９】
本発明の１実施形態ではさらに中央スケジューリング装置７を提供する。中央スケジューリング装置７は上述の実施形態の各々で提供する基地局に適用され、本発明の１実施形態で提供するデータ・スケジューリング方法を実装するように構成される。図７を参照すると、中央スケジューリング装置７は特に、少なくとも１つのプロセッサ７１、メモリ７２、送信器７３、およびデータバス７４を含む。データバス７４は、プロセッサ７１、メモリ７２、および送信器７３間の接続と通信を実装するように構成され、メモリ７２は、プロセッサ７１により実行されるプログラムコードおよびデータを格納するように構成される。
【００８０】
データバス７４が、業界標準アーキテクチャ（Ｉｎｄｕｓｔｒｙ  Ｓｔａｎｄａｒｄ  Ａｒｃｈｉｔｅｃｔｕｒｅ、ＩＳＡ）バス、周辺機器相互接続（ＰｅｒｉｐｈｅｒａｌＣｏｍｐｏｎｅｎｔ、ＰＣＩ）バス、拡張業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ、ＥＩＳＡ）バス等であってもよい。データバス７４をアドレス・バス、データバス、制御バス等に分類してもよい。記法の簡単さのため、図７の１つの太線のみを用いて当該バスを示すが、これは、１つのバスのみまたは１種類のバスのみが存在することを示すものではない。
【００８１】
メモリ７２は、データまたは実行可能プログラムコードを格納するように構成される。当該プログラムコードはコンピュータ操作命令を含み、特に、オペレーティング・システム、アプリケーション・プログラム等であってもよい。メモリ７２が高速ＲＡＭメモリを含んでもよく、さらに不揮発性メモリ（ｎｏｎ−ｖｏｌａｔｉｌｅ  ｍｅｍｏｒｙ）、例えば、少なくとも１つの磁気ディスク・メモリを含んでもよい。
【００８２】
プロセッサ７１が、中央演算装置（Ｃｅｎｔｒａｌ  Ｐｒｏｃｅｓｓｉｎｇ Ｕｎｉｔ、ＣＰＵ）、または特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）であってもよく、または、本発明の諸実施形態を実装する１つまたは複数の集積回路として構成してもよい。
【００８３】
プロセッサ７１は、ユーザ機器のデータを受信するためのデータ・スケジューリング情報を生成するように構成され、当該データ・スケジューリング情報は、サービング・セルのデータ・スケジューリング情報および少なくとも１つの協調セルのデータ・スケジューリング情報を含む。
【００８４】
プロセッサ７１は、送信器７３を用いることによって、サービング・セルのデータ・スケジューリング情報をサービング・セルのベースバンド処理装置に送信して、サービング・セルのベースバンド処理装置が、サービング・セルのデータ・スケジューリング情報に従って、ユーザ機器により送信された第２のデータを受信するように構成される。
【００８５】
プロセッサ７１は、送信器７３を用いることによって、当該少なくとも１つの協調セルのデータ・スケジューリング情報を対応する協調セルのベースバンド処理装置に別々に送信して、協調セルのベースバンド処理装置が、当該対応する協調セルのデータ・スケジューリング情報に従って、ユーザ機器により送信された第１のデータを受信するように構成される。
【００８６】
図８を参照すると、本発明の１実施形態はさらにベースバンド処理装置８を提供する。ベースバンド処理装置８は、上述の実施形態の各々で提供する基地局の協調セルに適用され、本発明の１実施形態で提供するデータ・スケジューリング方法を実装するように構成される。特に、図８を参照すると、ベースバンド処理装置８は、少なくとも１つのプロセッサ８１、メモリ８２、受信器８３、送信器８４、およびデータバス８５を備える。データバス８５は、プロセッサ８１、メモリ８２、受信器８３、および送信器８４間の接続と通信を実装するように構成され、メモリ８２は、プロセッサ８１により実行されるプログラムコードおよびデータを格納するように構成される。
【００８７】
データバス８５が、業界標準アーキテクチャ（Ｉｎｄｕｓｔｒｙ  Ｓｔａｎｄａｒｄ  Ａｒｃｈｉｔｅｃｔｕｒｅ、ＩＳＡ）バス、周辺機器相互接続（ＰｅｒｉｐｈｅｒａｌＣｏｍｐｏｎｅｎｔ、ＰＣＩ）バス、拡張業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ、ＥＩＳＡ）バス等であってもよい。データバス８５をアドレス・バス、データバス、制御バス等に分類してもよい。記法の簡単さのため、図８の１つの太線のみを用いて当該バスを示すが、これは、１つのバスのみまたは１種類のバスのみが存在することを示すものではない。
【００８８】
メモリ８２は、データまたは実行可能プログラムコードを格納するように構成される。当該プログラムコードはコンピュータ操作命令を含み、特に、オペレーティング・システム、アプリケーション・プログラム等であってもよい。メモリ８２が高速ＲＡＭメモリを含んでもよく、さらに不揮発性メモリ（ｎｏｎ−ｖｏｌａｔｉｌｅ  ｍｅｍｏｒｙ）、例えば、少なくとも１つの磁気ディスク・メモリを含んでもよい。
【００８９】
プロセッサ８１が、中央演算装置（Ｃｅｎｔｒａｌ  Ｐｒｏｃｅｓｓｉｎｇ Ｕｎｉｔ、ＣＰＵ）、または特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）であってもよく、または、本発明の諸実施形態を実装する１つまたは複数の集積回路として構成してもよい。
【００９０】
プロセッサ８１は、受信器８３を用いることにより、中央スケジューリング装置により送信された協調セルのデータ・スケジューリング情報を受信するように構成される。
【００９１】
プロセッサ８１は、受信器８３を用いることにより、協調セルのデータ・スケジューリング情報に従って、ユーザ機器により送信された第１のデータを取得するように構成される。
【００９２】
プロセッサ８１は、送信器８４を用いることにより、第１のデータをサービング・セルのベースバンド処理装置に送信するように構成される。
【００９３】
さらに、プロセッサ８１は特に、協調セルのデータ・スケジューリング情報に従って、ユーザ機器のエア・インタフェース・データを取得し、受信器８３を用いることにより、およびユーザ機器のエア・インタフェース・データにより示されたチャネルにおいて、ユーザ機器により送信された第１のデータを受信するように構成される。
【００９４】
場合によっては、プロセッサ８１は特に、協調セルのデータ・スケジューリング情報に従って、時間周波数領域変換または多入力多出力ＭＩＭＯバランシングまたは逆離散フーリエ変換ＩＤＦＴまたは直角位相振幅変調ＱＡＭ復調を第１のデータに実施し、送信器８１を用いることによって、協調セルのベースバンド処理装置が時間周波数領域変換または多入力多出力ＭＩＭＯバランシングまたは逆離散フーリエ変換ＩＤＦＴまたは直角位相振幅変調ＱＡＭ復調を実施した後に取得された第１のデータを、サービング・セルのベースバンド処理装置に送信するように構成される。
【００９５】
本発明の１実施形態ではさらにベースバンド処理装置９を提供する。ベースバンド処理装置９は、上述の実施形態の各々で提供される基地局のサービング・セルに適用され、本発明の１実施形態により提供されたデータ・スケジューリング方法を実装するように構成される。特に、図９を参照すると、ベースバンド処理装置９は、少なくとも１つのプロセッサ９１、メモリ９２、受信器９３、およびデータバス９４を備える。データバス９４は、プロセッサ９１、メモリ９２、および受信器９３間の接続と通信を実装するように構成され、メモリ９２は、プロセッサ９１により実行されるプログラムコードおよびデータを格納するように構成される。
【００９６】
データバス９４が、業界標準アーキテクチャ（Ｉｎｄｕｓｔｒｙ  Ｓｔａｎｄａｒｄ  Ａｒｃｈｉｔｅｃｔｕｒｅ、ＩＳＡ）バス、周辺機器相互接続（ＰｅｒｉｐｈｅｒａｌＣｏｍｐｏｎｅｎｔ、ＰＣＩ）バス、拡張業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ、ＥＩＳＡ）バス等であってもよい。データバス９４をアドレス・バス、データバス、制御バス等に分類してもよい。記法の簡単さのため、図９の１つの太線のみを用いて当該バスを示すが、これは、１つのバスのみまたは１種類のバスのみが存在することを示すものではない。
【００９７】
メモリ９２は、データまたは実行可能プログラムコードを格納するように構成される。当該プログラムコードはコンピュータ操作命令を含み、特に、オペレーティング・システム、アプリケーション・プログラム等であってもよい。メモリ９２が高速ＲＡＭメモリを含んでもよく、さらに不揮発性メモリ（ｎｏｎ−ｖｏｌａｔｉｌｅ  ｍｅｍｏｒｙ）、例えば、少なくとも１つの磁気ディスク・メモリを含んでもよい。
【００９８】
プロセッサ９１が、中央演算装置（Ｃｅｎｔｒａｌ  Ｐｒｏｃｅｓｓｉｎｇ Ｕｎｉｔ、ＣＰＵ）、または特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）であってもよく、または、本発明の諸実施形態を実装する１つまたは複数の集積回路として構成してもよい。
【００９９】
プロセッサ９１は、受信器９３を用いることにより、中央スケジューリング装置により送信されたサービング・セルのデータ・スケジューリング情報を受信するように構成される。
【０１００】
プロセッサ９１は、受信器９３を用いることにより、サービング・セルのデータ・スケジューリング情報に従って、ユーザ機器により送信された第２のデータを取得するように構成される。
【０１０１】
プロセッサ９１は、受信器９３を用いることにより、協調セルのベースバンド処理装置により送信された第１のデータを受信するように構成される。
【０１０２】
プロセッサ９１はさらに、第１のデータおよび第２のデータのセル間協調ＣｏＭＰ結合を実施するように構成される。
【０１０３】
さらに、プロセッサ９１は特に、サービング・セルのデータ・スケジューリング情報に従って、ユーザ機器のエア・インタフェース・データを取得するように構成される。
【０１０４】
プロセッサ９１はさらに、受信器９１を用いることにより、およびユーザ機器のエア・インタフェース・データにより示されたチャネルにおいて、ユーザ機器により送信された第２のデータを受信するように構成される。
【０１０５】
場合によっては、プロセッサ９１はさらに、時間周波数領域変換または多入力多出力ＭＩＭＯバランシングまたは逆離散フーリエ変換ＩＤＦＴまたは直角位相振幅変調ＱＡＭ復調を第１のデータに実施した後に、サービング・セルのデータ・スケジューリング情報に従って、第２のデータおよび第１のデータのセル間協調ＣｏＭＰ結合を実施するように構成される。
【０１０６】
場合によっては、第１のデータは、協調セルのベースバンド処理装置が時間周波数領域変換または多入力多出力ＭＩＭＯバランシングまたはＩＤＦＴまたはＱＡＭ復調を実施した後に取得された第１のデータである。
【０１０７】
本発明の当該実施形態により提供されるデータ・スケジューリング装置、基地局、およびシステムによれば、セル間協調データ・スケジューリング情報は、基地局または基地局間の中央スケジューリング装置を用いることによって、各セル内のベースバンド処理装置に送信され、協調セルのベースバンド処理装置はサービング・セルに、ユーザに提供する必要があるセル間協調データを送信し、その結果、データ送信の粒度はユーザレベルではなくセル・レベルのものであり、これにより、サービング・セルおよび協調セルの間でスケジューリング情報を送信する時間を減らし、データ送信に対するリソースの無駄およびデータ送信の複雑性を減らし、システム信頼性を高めることができる。
【０１０８】
本発明の１実施形態ではデータ・スケジューリング方法を提供する。当該方法は、ユーザ機器のデータのセル間協調送信を実装するために特にＬＴＥシステムに適用してもよい。図１０を参照すると、中央スケジューリング装置側で、当該方法は以下のステップを含む。
【０１０９】
１００１で、中央スケジューリング装置がユーザ機器のデータを受信するためのデータ・スケジューリング情報を生成する。当該データ・スケジューリング情報は、サービング・セルのデータ・スケジューリング情報および協調セルのデータ・スケジューリング情報を含む。
【０１１０】
１００２で、中央スケジューリング装置がサービング・セルのデータ・スケジューリング情報をサービング・セルのベースバンド処理装置に送信して、サービング・セルのベースバンド処理装置が、サービング・セルのデータ・スケジューリング情報に従って、ユーザ機器により送信された第２のデータを受信するようにする。
【０１１１】
１００３で、中央スケジューリング装置が、少なくとも１つの協調セルのデータ・スケジューリング情報を対応する協調セルのベースバンド処理装置に送信して、協調セルのベースバンド処理装置が、協調セルのデータ・スケジューリング情報に従って、ユーザ機器により送信された第１のデータを受信するようにする。
【０１１２】
図１１を参照すると、本発明の１実施形態では別のデータ・スケジューリング方法を提供する。当該方法は、協調セルに適用され、以下のステップを含む
【０１１３】
１１０１で、協調セルのベースバンド処理装置が中央スケジューリング装置により送信された協調セルのデータ・スケジューリング情報を受信する。
【０１１４】
１１０２で、協調セルのベースバンド処理装置が、協調セルのデータ・スケジューリング情報に従って、ユーザ機器により送信された第１のデータを取得する。
【０１１５】
さらに、ステップ１１０２は、協調セルのベースバンド処理装置が、協調セルのデータ・スケジューリング情報に従って、ユーザ機器のエア・インタフェース・データを取得し、当該エア・インタフェース・データにより示されたチャネルで、ユーザ機器により送信された第１のデータを受信することを含む。
【０１１６】
１１０３で、協調セルのベースバンド処理装置が第１のデータをサービング・セルのベースバンド処理装置に送信する。
【０１１７】
場合によっては、ステップ１１０３は、協調セルのベースバンド処理装置が、協調セルのデータ・スケジューリング情報に従って、時間周波数領域変換または多入力多出力ＭＩＭＯバランシングまたは逆離散フーリエ変換ＩＤＦＴまたは直角位相振幅変調ＱＡＭ復調を第１のデータに実施することを含む。
【０１１８】
協調セルのベースバンド処理装置は、サービング・セルのベースバンド処理装置に、時間周波数領域変換または多入力多出力ＭＩＭＯバランシングまたは逆離散フーリエ変換ＩＤＦＴまたは直角位相振幅変調ＱＡＭ復調の後に取得された第１のデータを送信する。勿論、第１のデータに対する時間周波数領域変換または多入力多出力ＭＩＭＯバランシングまたは逆離散フーリエ変換ＩＤＦＴまたは直角位相振幅変調ＱＡＭ復調の上述の操作を協調セル側で実施しなくてもよく、第１のデータがサービング・セルで受信された後にサービング・セルのベースバンド処理装置により実施してもよい。
【０１１９】
図１２を参照すると、本発明の１実施形態では別のデータ・スケジューリング方法を提供する。当該方法はサービング・セルに適用され、以下のステップを含む。
【０１２０】
１２０１で、サービング・セルのベースバンド処理装置が、中央スケジューリング装置により送信されたサービング・セルのデータ・スケジューリング情報を受信する。
【０１２１】
１２０２で、サービング・セルのベースバンド処理装置が、サービング・セルのデータ・スケジューリング情報に従って、ユーザ機器により送信された第２のデータを取得する。
【０１２２】
さらに、ステップ１２０２は、サービング・セルのベースバンド処理装置が、サービング・セルのデータ・スケジューリング情報に従って、ユーザ機器のエア・インタフェース・データを取得し、当該エア・インタフェース・データにより示されたチャネルで、ユーザ機器により送信された第２のデータを受信することを含む。
【０１２３】
１２０３で、サービング・セルのベースバンド処理装置が協調セルのベースバンド処理装置により送信された第１のデータを受信する。
【０１２４】
１２０４で、サービング・セルのベースバンド処理装置が第１のデータおよび第２のデータのセル間協調ＣｏＭＰ結合を実施する。
【０１２５】
場合によっては、ステップ１２０４は特に、サービング・セルのベースバンド処理装置が、サービング・セルのデータ・スケジューリング情報に従って、時間周波数領域変換または多入力多出力ＭＩＭＯバランシングまたは逆離散フーリエ変換ＩＤＦＴまたは直角位相振幅変調ＱＡＭ復調を第１のデータに実施した後に第２のデータおよび第１のデータのセル間協調ＣｏＭＰ結合を実施することを含む。勿論、ここでは、第１のデータに対する時間周波数領域変換または多入力多出力ＭＩＭＯバランシングまたは逆離散フーリエ変換ＩＤＦＴまたは直角位相振幅変調ＱＡＭ復調の操作は協調セル側では実施されない。
【０１２６】
時間周波数領域変換または多入力多出力ＭＩＭＯバランシングまたは逆離散フーリエ変換ＩＤＦＴまたは直角位相振幅変調ＱＡＭ復調が第１のデータに対して協調セル側で実施されている場合、第１のデータは、協調セルのベースバンド処理装置が時間周波数領域変換または多入力多出力ＭＩＭＯバランシングまたはＩＤＦＴまたはＱＡＭ復調を実施した後に取得された第１のデータである。
【０１２７】
本発明の当該実施形態により提供されたデータ・スケジューリング方法によれば、セル間協調データ・スケジューリング情報は、基地局または基地局間の中央スケジューリング装置を用いることによって、各セル内のベースバンド処理装置に送信され、協調セルのベースバンド処理装置は、サービング・セルのベースバンド処理装置に、ユーザに提供する必要があるセル間協調データを送信し、その結果、データ送信の粒度はユーザレベルではなくセル・レベルのものであり、これにより、サービング・セルおよび協調セルの間でスケジューリング情報を送信する回数を減らし、データ送信に対するリソースの無駄およびデータ送信の複雑性を減らし、システム信頼性を高めることができる。
【０１２８】
以上の実施形態の説明により、本発明をハードウェア、ファームウェアまたはその組合せにより実装してもよいことは当業者には理解される。本発明をソフトウェアで実装するとき、上述の機能をコンピュータ可読媒体に格納するか、または、当該コンピュータ可読媒体内の１つまたは複数の命令またはコードとして送信してもよい。当該コンピュータ可読媒体はコンピュータ記憶媒体および通信媒体を含む。当該通信媒体には、コンピュータプログラムを或る場所から別の場所に送信できる任意の媒体が含まれる。当該記憶媒体が、コンピュータにアクセス可能な任意の利用可能な媒体であってもよい。以下では１例を与えるがこれは限定を課すものではない。当該コンピュータ可読媒体には、ＲＡＭ、ＲＯＭ、ＥＥＰＲＯＭ、ＣＤ−ＲＯＭ、または別の光ディスク記憶もしくはディスク記憶媒体、または別の磁気記憶装置、または期待されるプログラムコードを命令もしくはデータ構造の形で運搬または格納できコンピュータによりアクセス可能な他の任意の媒体が含まれうる。さらに、任意の接続を適切にコンピュータ可読媒体と定義してもよい。例えば、同軸ケーブル、光ファイバ／ケーブル、ツイスト・ペア、デジタル加入者線（ＤＳＬ）または赤外線、無線およびマイクロ波のような無線技術を用いてソフトウェアがウェブサイト、サーバまたは別のリモート・ソースから送信される場合、当該同軸ケーブル、光ファイバ／ケーブル、ツイスト・ペア、ＤＳＬまたは赤外線、無線およびマイクロ波のような無線技術は、それらが属する媒体の範囲に含まれる。例えば、本発明で用いるディスク（Ｄｉｓｋ）およびディスク（ｄｉｓｃ）には、コンパクト・ディスク（ＣＤ）、レーザ・ディスク、光ディスク、デジタル多用途ディスク（ＤＶＤ）、フロッピー・ディスク、およびＢｌｕｅ−ｒａｙディスクが含まれる。ｄｉｓｋは一般に磁気手段によりデータをコピーし、ｄｉｓｃはレーザ手段によりデータを光学的にコピーする。上述の組合せも当該コンピュータ可読媒体の保護範囲に含まれる。
【０１２９】
要約すると、以上で述べたことは本発明の技術的解決策の例示的な実施形態にすぎず本発明の保護範囲を限定しようとするものではない。本発明の趣旨と原理から逸脱しないで行われた任意の修正、均等な置換え、または改善は本発明の保護範囲に入るものとする。
【符号の説明】
【０１３０】
１  基地局
１１  中央スケジューリング装置
１２  協調セルのベースバンド処理装置
１３  サービング・セルのベースバンド処理装置
１４  協調セルのベースバンド処理装置
２  基地局
２１  中央スケジューリング層ａ
２２  セル０のベースバンド処理ユニット
２３  セル１のベースバンド処理ユニット
２４  セル２のベースバンド処理ユニット
３  基地局
３１  中央スケジューリング層ｂ
３２  セル３のベースバンド処理ユニット
３３  セル４のベースバンド処理ユニット
３４  セル５のベースバンド処理ユニット
１１  中央スケジューリング装置
１１１  スケジューリング・ユニット
１１２  送信ユニット
１２  協調セルのベースバンド処理装置
１２１  スケジューリング・ユニット
１２２  受信ユニット
１２２１  復調サブユニット
１２２２  受信サブユニット
１２３１  前処理サブユニット
１２３２  送信サブユニット
１３  ベースバンド処理装置
１３１  スケジューリング・ユニット
１３２  受信ユニット
１３３  結合ユニット
１３２１  復調サブユニット
１３２２  受信サブユニット
７  中央スケジューリング装置
７１  プロセッサ
７２  メモリ
７３  送信器
８  ベースバンド処理装置
８１  プロセッサ
８２  メモリ
８３  送信器
８４  受信器
９  ベースバンド処理装置
９１  プロセッサ
９２  メモリ
９３  受信器
【図１】
2016527772.tif 000003
【図２】
2016527772.tif 000004
【図３】
2016527772.tif 000005
【図３Ａ】
2016527772.tif 000006
【図４】
2016527772.tif 000007
【図５】
2016527772.tif 000008
【図６】
2016527772.tif 000009
【図７】
2016527772.tif 000010
【図８】
2016527772.tif 000011
【図９】
2016527772.tif 000012
【図１０】
2016527772.tif 000013
【図１１】
2016527772.tif 000014
【図１２】
2016527772.tif 000015
【手続補正書】
【提出日】平成28年2月3日(2016.2.3)
【手続補正１】
【補正対象書類名】特許請求の範囲
【補正対象項目名】全文
【補正方法】変更
【補正の内容】
【特許請求の範囲】
【請求項１】
協調セルに適用されるデータ・スケジューリング方法であって、
前記協調セルのベースバンド処理装置により、中央スケジューリング装置により送信された前記協調セルのデータ・スケジューリング情報を受信するステップと、
前記協調セルの前記データ・スケジューリング情報に従って前記協調セルの前記ベースバンド処理装置により、ユーザ機器により送信された第１のデータを取得するステップと、
前記協調セルの前記ベースバンド処理装置により、前記第１のデータをサービング・セルのベースバンド処理装置に送信するステップと、
を含む方法。
【請求項２】
前記協調セルの前記データ・スケジューリング情報に従って前記協調セルの前記ベースバンド処理装置により、ユーザ機器により送信された第１のデータを取得するステップは、
前記協調セルの前記ベースバンド処理装置により、前記ユーザ機器のエア・インタフェース・データを前記協調セルの前記データ・スケジューリング情報に従って取得するステップと、
前記協調セルの前記ベースバンド処理装置により、前記ユーザ機器の前記エア・インタフェース・データにより示されたチャネルにおいて、前記ユーザ機器により送信された前記第１のデータを受信するステップと、
を含む、請求項１に記載の方法。
【請求項３】
前記協調セルの前記ベースバンド処理装置により、前記第１のデータを前記サービング・セルのベースバンド処理装置に送信するステップは、
前記協調セルの前記データ・スケジューリング情報に従って前記協調セルの前記ベースバンド処理装置により、時間周波数領域変換または多入力多出力（ＭＩＭＯ）バランシングまたは逆離散フーリエ変換（ＩＤＦＴ）または直角位相振幅変調（ＱＡＭ）復調を前記第１のデータに実施するステップと、
前記協調セルの前記ベースバンド処理装置により、前記時間周波数領域変換または前記多入力多出力（ＭＩＭＯ）バランシングまたは前記逆離散フーリエ変換（ＩＤＦＴ）または前記直角位相振幅変調（ＱＡＭ）復調の後に取得された第１のデータを前記サービング・セルの前記ベースバンド処理装置に送信するステップと、
を含む、請求項１または２に記載の方法。
【請求項４】
サービング・セルに適用されるデータ・スケジューリング方法であって、
前記サービング・セルのベースバンド処理装置により、中央スケジューリング装置により送信された前記サービング・セルのデータ・スケジューリング情報を受信するステップと、
前記サービング・セルの前記ベースバンド処理装置により前記サービング・セルの前記データ・スケジューリング情報に従って、ユーザ機器により送信された第２のデータを取得するステップと、
前記サービング・セルの前記ベースバンド処理装置により、協調セルのベースバンド処理装置により送信された第１のデータを受信するステップと、
前記サービング・セルの前記ベースバンド処理装置により、前記第１のデータおよび前記第２のデータのセル間協調（ＣｏＭＰ）結合を実施するステップと、
を含む、方法。
【請求項５】
前記サービング・セルの前記ベースバンド処理装置により前記サービング・セルの前記データ・スケジューリング情報に従って、ユーザ機器により送信された第２のデータを取得するステップは、
前記サービング・セルの前記ベースバンド処理装置により、前記ユーザ機器のエア・インタフェース・データを前記サービング・セルの前記データ・スケジューリング情報に従って取得するステップと、
前記サービング・セルの前記ベースバンド処理装置により、前記ユーザ機器の前記エア・インタフェース・データにより示されたチャネルにおいて、前記ユーザ機器により送信された前記第２のデータを受信するステップと、
を含む、請求項４に記載の方法。
【請求項６】
前記サービング・セルの前記ベースバンド処理装置により、前記第１のデータおよび前記第２のデータのセル間協調（ＣｏＭＰ）結合を実施するステップは、
前記サービング・セルの前記ベースバンド処理装置により、時間周波数領域変換または多入力多出力（ＭＩＭＯ）バランシングまたは逆離散フーリエ変換（ＩＤＦＴ）または直角位相振幅変調（ＱＡＭ）復調を前記第１のデータに実施した後に、前記サービング・セルの前記データ・スケジューリング情報に従って、前記第２のデータおよび前記第１のデータのセル間協調（ＣｏＭＰ）結合を実施するステップ
を含む、請求項４または５に記載の方法。
【請求項７】
前記第１のデータは、前記協調セルの前記ベースバンド処理装置が時間周波数領域変換または多入力多出力（ＭＩＭＯ）バランシングまたは逆離散フーリエ変換（ＩＤＦＴ）または直角位相振幅変調（ＱＡＭ）復調を実施した後に取得された第１のデータである、請求項４または５に記載の方法。
【請求項８】
協調セルに適用されるベースバンド処理装置であって、前記装置は、スケジューリング・ユニット、受信ユニット、および送信ユニットを備え、
前記スケジューリング・ユニットは、中央スケジューリング装置により送信された前記協調セルのデータ・スケジューリング情報を受信し、前記協調セルの前記データ・スケジューリング情報を前記受信ユニットに送信するように構成され、
前記受信ユニットは、前記スケジューリング・ユニットにより送信された前記協調セルの前記データ・スケジューリング情報を受信し、前記協調セルの前記データ・スケジューリング情報に従って、ユーザ機器により送信された第１のデータを取得し、前記第１のデータを前記送信ユニットに送信するように構成され、
前記送信ユニットは、前記受信ユニットにより送信された前記第１のデータを受信し、前記第１のデータをサービング・セルのベースバンド処理装置を送信するように構成される、
装置。
【請求項９】
前記受信ユニットは復調サブユニットおよび受信サブユニットを備え、
前記復調サブユニットは、前記協調セルの前記データ・スケジューリング情報に従って、前記ユーザ機器のエア・インタフェース・データを取得し、前記ユーザ機器の前記エア・インタフェース・データを前記受信サブユニットに送信するように構成され、
前記受信サブユニットは、前記復調サブユニットにより送信された前記ユーザ機器の前記エア・インタフェース・データを受信し、前記ユーザ機器の前記エア・インタフェース・データにより示されたチャネルにおいて、前記ユーザ機器により送信された前記第１のデータを受信するように構成される
請求項８に記載の装置。
【請求項１０】
前記送信ユニットは前処理サブユニットおよび送信サブユニットを備え、
前記前処理サブユニットは、前記スケジューリング・ユニットにより送信された前記協調セルの前記データ・スケジューリング情報および前記受信ユニットにより送信された前記第１のデータを取得し、前記協調セルの前記データ・スケジューリング情報に従って、時間周波数領域変換または多入力多出力（ＭＩＭＯ）バランシングまたは逆離散フーリエ変換（ＩＤＦＴ）または直角位相振幅変調（ＱＡＭ）復調を前記第１のデータに実施するように構成され、
前記送信サブユニットは、前記前処理サブユニットが前記時間周波数領域変換または前記多入力多出力（ＭＩＭＯ）バランシングまたは前記逆離散フーリエ変換（ＩＤＦＴ）または前記直角位相振幅変調（ＱＡＭ）復調を実施した後に取得された第１のデータを前記サービング・セルの前記ベースバンド処理装置に送信するように構成される
請求項８または９に記載のベースバンド処理装置。
【請求項１１】
スケジューリング・ユニットおよび送信ユニットを備えた中央スケジューリング装置であって、
前記スケジューリング・ユニットは、ユーザ機器のデータを受信するためのデータ・スケジューリング情報を生成し、前記データ・スケジューリング情報を前記送信ユニットに送信するように構成され、前記データ・スケジューリング情報は、サービング・セルのデータ・スケジューリング情報および少なくとも１つの協調セルのデータ・スケジューリング情報を含む、
前記送信ユニットは、前記スケジューリング・ユニットにより送信された前記データ・スケジューリング情報を受信して、前記サービング・セルの前記データ・スケジューリング情報を前記サービング・セルのベースバンド処理装置に送信して、前記サービング・セルの前記ベースバンド処理装置が、前記サービング・セルの前記データ・スケジューリング情報に従って、前記ユーザ機器により送信された第２のデータを受信するように構成され、
前記送信ユニットはさらに、前記少なくとも１つの協調セルの前記データ・スケジューリング情報を対応する協調セルのベースバンド処理装置に送信して、前記協調セルの前記ベースバンド処理装置が、前記前記対応する協調セルのデータ・スケジューリング情報に従って、前記ユーザ機器により送信された第１のデータを受信するように構成される、
装置。
【請求項１２】
サービング・セルに適用されるベースバンド処理装置であって、前記装置は、スケジューリング・ユニット、受信ユニット、および結合ユニットを備え、
前記スケジューリング・ユニットは、中央スケジューリング装置により送信された前記サービング・セルのデータ・スケジューリング情報を受信し、前記サービング・セルの前記データ・スケジューリング情報を前記受信ユニットに送信するように構成され、
前記受信ユニットは、前記スケジューリング・ユニットにより送信された前記サービング・セルの前記データ・スケジューリング情報を受信し、前記サービング・セルの前記データ・スケジューリング情報に従って、ユーザ機器により送信された第２のデータを取得し、前記第２のデータを前記結合ユニットに送信するように構成され、
前記受信ユニットはさらに、協調セルのベースバンド処理装置により送信された第１のデータを受信し、前記第１のデータを前記結合ユニットに送信するように構成され、
前記結合ユニットは、前記受信ユニットにより送信された前記第１のデータおよび前記第２のデータを受信し、前記第１のデータおよび前記第２のデータのセル間協調（ＣｏＭＰ）結合を実施するように構成される、
装置。
【請求項１３】
前記受信ユニットは復調サブユニットおよび受信サブユニットを備え、
前記復調サブユニットは、前記サービング・セルの前記データ・スケジューリング情報に従って前記ユーザ機器のエア・インタフェース・データを取得し、前記ユーザ機器の前記エア・インタフェース・データを前記受信サブユニットに送信するように構成され、
前記受信サブユニットは、前記復調サブユニットにより送信された前記ユーザ機器の前記エア・インタフェース・データを受信し、前記エア・インタフェース・データにより示されたチャネルで、前記ユーザ機器により送信された前記第２のデータを受信するように構成される、
請求項１２に記載の装置。
【請求項１４】
前記結合ユニットは特に、前記サービング・セルの前記データ・スケジューリング情報を取得し、前記受信ユニットにより送信された前記第１のデータおよび前記第２のデータを受信し、時間周波数領域変換または多入力多出力（ＭＩＭＯ）バランシングまたは逆離散フーリエ変換（ＩＤＦＴ）または直角位相振幅変調（ＱＡＭ）復調を前記第１のデータに実施した後に、前記サービング・セルの前記データ・スケジューリング情報に従って、前記第２のデータおよび前記第１のデータのセル間協調（ＣｏＭＰ）結合を実施するように構成される、請求項１２または１３に記載の装置。
【請求項１５】
前記第１のデータは、前記協調セルの前記ベースバンド処理装置が時間周波数領域変換または多入力多出力（ＭＩＭＯ）バランシングまたは逆離散フーリエ変換（ＩＤＦＴ）または（ＱＡＭ）復調を実施した後に取得された第１のデータである、請求項１２または１３に記載の装置。
【国際調査報告】
2016527772.tif 000016
2016527772.tif 000017
2016527772.tif 000018
2016527772.tif 000019